(57)【特許請求の範囲】
【請求項１】
外壁パネルを建物の構造躯体に固定する固定構造において、上記外壁パネルの下部側には、首部の先端側に当該首部より大きな頭部を有する係合凸部が設けられており、上記構造躯体には、上記係合凸部が係合される切欠き部を有した留め部材が固定されており、上記切欠き部の周囲には、突縁部が設けられており、上記首部が上記切欠き部に係合されるとともに上記突縁部が上記頭部の裏側に当接されていることを特徴とする外壁パネルの固定構造。
【請求項２】
請求項１に記載の外壁パネルの固定構造において、上記突縁部の上部は上側ほど突出高さが低い傾斜部とされていることを特徴とする外壁パネルの固定構造。
【請求項３】
請求項１または請求項２に記載の外壁パネルの固定構造において、上記留め部材が上記構造躯体としての建物基礎上に固定されており、上記留め部材の上辺に上記切欠き部の開口が形成されていることを特徴とする外壁パネルの固定構造。
【請求項４】
請求項１または請求項２に記載の外壁パネルの固定構造において、上記留め部材が上記構造躯体としての横架材の上面に固定されており、上記留め部材には、上記係合凸部の上記頭部が挿通できる大きさの貫通孔部が形成されており、上記貫通孔部の下側に上記突縁部を有する上記切欠き部が形成されていることを特徴とする外壁パネルの固定構造。
【請求項５】
請求項１または請求項２に記載の外壁パネルの固定構造において、上記留め部材が上記構造躯体としての柱構成部材の縦面に固定されており、上記留め部材には、上記係合凸部の上記頭部が挿通できる大きさの貫通孔部が形成されており、上記貫通孔部の下側に上記突縁部を有する上記切欠き部が形成されていることを特徴とする外壁パネルの固定構造。
【請求項６】
請求項３に記載の外壁パネルの固定構造において、上記留め部材には、上記切欠き部に係合される上記首部よりも下側となる箇所に、上記外壁パネルの下部の屋内面に当たる凸部が形成されていることを特徴とする外壁パネルの固定構造。
【請求項７】
請求項４に記載の外壁パネルの固定構造において、上記留め部材には、上記切欠き部に係合される上記首部よりも下側となる箇所と上側となる箇所の両方に、上記外壁パネルの下部の屋内面に当たる凸部が形成されていることを特徴とする外壁パネルの固定構造。
【請求項８】
請求項４または請求項７に記載の外壁パネルの固定構造において、上記留め部材の上辺部には、上記首部の嵌りを防止する嵌り防止片部が設けられていることを特徴とする外壁パネルの固定構造。
【請求項９】
外壁パネルを建物の構造躯体に固定する固定構造において、上記外壁パネルの下部側には、首部の先端側に当該首部より大きな頭部を有する係合凸部が設けられており、上記構造躯体には、上記係合凸部が係合される切欠き部を有する留め部材が固定されており、
上記留め部材が上記構造躯体としての建物基礎上に固定されており、
上記留め部材には、上記切欠き部に係合される上記首部よりも下側となる箇所に、上記外壁パネルの下部の屋内面に当たるリブ部による凸部が形成されていることを特徴とする外壁パネルの固定構造。
【請求項１０】
外壁パネルを建物の構造躯体に固定する固定構造において、上記外壁パネルの下部側には、首部の先端側に当該首部より大きな頭部を有する係合凸部が設けられており、上記構造躯体には、上記係合凸部が係合される切欠き部を有する留め部材が固定されており、
上記留め部材が上記構造躯体としての横架材の上面に固定されており、
上記留め部材には、上記係合凸部の上記頭部が挿通できる大きさの貫通孔部が形成され、当該貫通孔部の下部側に上記切欠き部が形成されており、
上記留め部材には、上記切欠き部に係合される上記首部よりも下側となる箇所と上側となる箇所の両方に、上記外壁パネルの下部の屋内面に当たるリブ部による凸部が形成されていることを特徴とする外壁パネルの固定構造。
【請求項１１】
外壁パネルを建物の構造躯体に固定する固定構造において、上記外壁パネルの下部側には、首部の先端側に当該首部より大きな頭部を有する係合凸部が設けられており、上記構造躯体には、上記係合凸部が係合される切欠き部を有する留め部材が固定されており、
上記留め部材が上記構造躯体としての横架材の上面に固定されており、
上記留め部材には、上記係合凸部の上記頭部が挿通できる大きさの貫通孔部が形成され、当該貫通孔部の下部側に上記切欠き部が形成されており、
上記留め部材の上辺部には、上記首部の長さよりも広くされた幅を有し上記頭部が当たることで上記首部の嵌りを防止する嵌り防止片部が設けられていることを特徴とする外壁パネルの固定構造。                   
【発明の詳細な説明】
【技術分野】
【０００１】
この発明は、外壁パネルを建物の構造躯体に固定する固定構造に関する。
【背景技術】
【０００２】
外壁パネルを建物の構造躯体に固定する固定構造として、上記外壁パネルの上部と下部の各々にボルト部を設け、上記構造躯体側の固定金物に形成した貫通孔に上記ボルト部を通し、ナットによって上記ボルト部を締め付ける構造が考えられる。
【０００３】
また、特許文献１には、建築物の構造躯体に固定される断面略Ｌ字形の下地鋼材に対し、壁パネル裏面を下地鋼材との間に一定の間隔を有するように平行に配し、壁パネル裏面の幅方向略中心部に取り付けられた取付金具の鉛直方向に配した当接部を、下地鋼材の鉛直片の壁パネル側の面に当接させて固定する構造が開示されている。
【先行技術文献】
【特許文献】
【０００４】
【特許文献１】特開平１１-２９３８３３号公報
【発明の概要】
【発明が解決しようとする課題】
【０００５】
しかしながら、上記のように、上記外壁パネルの上部と下部の各々に設けられたボルト部によって当該外壁パネルを躯体に固定するのでは、ボルトとナットによる固定の箇所が多くなって作業時間が増加し、さらに、ナットを装着する箇所が狭いと、作業が難しくなるといった欠点がある。また、上記特許文献１の技術は、いわゆる引っ掛けの構造によって外壁パネルを固定できるものの、外壁パネルの上側でボルトとナットによる固定を行う一方、外壁パネルの下部側で引っ掛け固定が行われるものではない。
【０００６】
この発明は、上記の事情に鑑み、外壁パネルの上部側でボルトとナットによる固定が行え、外壁パネルの下部側で引っ掛け固定とすることができるようにする。また、上記外壁パネルの設置作業の容易化や外壁パネルが受ける風荷重の対策を図る。
【課題を解決するための手段】
【０００７】
この発明の外壁パネルの固定構造は、上記の課題を解決するために、外壁パネルを建物の構造躯体に固定する固定構造において、上記外壁パネルの下部側には、首部の先端側に当該首部より大きな頭部を有する係合凸部が設けられており、上記構造躯体には、上記係合凸部が係合される切欠き部を有した留め部材が固定されており、上記切欠き部の周囲には、突縁部が設けられており、上記首部が上記切欠き部に係合されるとともに上記突縁部が上記頭部の裏側に当接されていることを特徴とする。
【０００８】
上記の構成であれば、上記係合凸部の上記首部を上記切欠き部に係合させることで上記外壁パネルの下部側が上記留め部材に引っ掛けられ、上記突縁部が上記頭部の裏側に当接されて上記留め部材による上記外壁パネルの下部側の固定が行われる。上記外壁パネルの上部側については、ボルトとナットとによる固定とすることが可能である。
【０００９】
上記突縁部の上部は上側ほど突出高さが低い傾斜部とされていてもよい。これによれば、建築現場で吊り上げた外壁パネルを少しずつ降下させながら上記係合凸部の首部を上記切欠き部に係合させる際に、当該外壁パネルがその下部側ほど建物躯体に近い傾斜状態にされたとしても、上記突縁部の上部には、上記傾斜部が形成されているので、上記頭部の下縁の当たりを防ぎながら上記首部を上記切欠き部に導入する作業が容易に行えるようになる。そして、上記吊り上げた外壁パネルをさらに降下させることで、上記突縁部の非傾斜部分を上記頭部の裏側に接触させてパネル下部側の固定状態を形成することができる。
【００１０】
上記留め部材が上記構造躯体としての建物基礎上に固定されており、上記留め部材の上辺に上記切欠き部の開口が形成されていてもよい。これによれば、上記係合凸部の首部を上記切欠き部に係合させる作業が容易に行える。
【００１１】
上記建物基礎上に固定される上記留め部材には、上記切欠き部に係合される上記首部よりも下側となる箇所に、上記外壁パネルの下部の屋内面に当たる凸部が形成されていてもよい。これによれば、上記留め部材が上記建物基礎上に固定される構造において、上記外壁パネルが風荷重を受けたときの対策が図れる。
【００１２】
上記留め部材が上記構造躯体としての横架材の上面に固定されており、上記留め部材には、上記係合凸部の上記頭部が挿通できる大きさの貫通孔部が形成されており、上記貫通孔部の下側に上記突縁部を有する上記切欠き部が形成されていてもよい。
【００１３】
上記横架材の上面に固定される上記留め部材には、上記切欠き部に係合される上記首部よりも下側となる箇所と上側となる箇所の両方に、上記外壁パネルの下部の屋内面に当たる凸部が形成されていてもよい。これによれば、上記留め部材が上記横架材の上面に固定される構造において、上記外壁パネルが風荷重を受けたときの対策が図れる。
【００１４】
上記横架材の上面に固定される留め部材の上辺部には、上記首部の嵌りを防止する嵌り防止片部が設けられていてもよい。これによれば、現場で吊り上げた外壁パネルを少しずつ降下させながら上記係合凸部の首部を上記切欠き部に嵌めようとする際に、上記首部が誤って上記留め部材の上辺部に引っ掛かってしまうという事態を防止できる。
【００１５】
上記留め部材が上記構造躯体としての柱構成部材の縦面に固定されており、上記留め部材には、上記係合凸部の上記頭部が挿通できる大きさの貫通孔部が形成されており、上記貫通孔部の下部側に上記突縁部を有する上記切欠き部が形成されていてもよい。
【００１６】
また、この発明の外壁パネルの固定構造は、外壁パネルを建物の構造躯体に固定する固定構造において、上記外壁パネルの下部側には、首部の先端側に当該首部より大きな頭部を有する係合凸部が設けられており、上記構造躯体には、上記係合凸部が係合される切欠き部を有する留め部材が固定されており、上記留め部材が上記構造躯体としての建物基礎上に固定されており、上記留め部材には、上記切欠き部に係合される上記首部よりも下部側となる箇所に、上記外壁パネルの下部の屋内面に当たる凸部が形成されていることを特徴とする。これによれば、上記留め部材が上記建物基礎上に固定される構造において、上記外壁パネルが風荷重を受けたときの対策が図れる。
【００１７】
また、この発明の外壁パネルの固定構造は、外壁パネルを建物の構造躯体に固定する固定構造において、上記外壁パネルの下部側には、首部の先端側に当該首部より大きな頭部を有する係合凸部が設けられており、上記構造躯体には、上記係合凸部が係合される切欠き部を有する留め部材が固定されており、上記留め部材が上記構造躯体としての横架材の上面に固定されており、上記留め部材には、上記係合凸部の上記頭部が挿通できる大きさの貫通孔部が形成され、当該貫通孔部の下部側に上記切欠き部が形成されており、上記留め部材には、上記切欠き部に係合される上記首部よりも下側となる箇所と上側となる箇所の両方に、上記外壁パネルの下部の屋内面に当たる凸部が形成されていることを特徴とする。これによれば、上記留め部材が上記横架材の上面に固定される構造において、上記外壁パネルが風荷重を受けたときの対策が図れる。
【００１８】
また、この発明の外壁パネルの固定構造は、外壁パネルを建物の構造躯体に固定する固定構造において、上記外壁パネルの下部側には、首部の先端側に当該首部より大きな頭部を有する係合凸部が設けられており、上記構造躯体には、上記係合凸部が係合される切欠き部を有する留め部材が固定されており、上記留め部材が上記構造躯体としての横架材の上面に固定されており、上記留め部材には、上記係合凸部の上記頭部が挿通できる大きさの貫通孔部が形成され、当該貫通孔部の下部側に上記切欠き部が形成されており、上記留め部材の上辺部には、上記首部の嵌りを防止する嵌り防止片部が設けられていることを特徴とする。これによれば、現場で吊り上げた外壁パネルを少しずつ降下させながら上記係合凸部の首部を上記切欠き部に嵌めようとする際に、上記首部が誤って上記留め部材の上辺部に引っ掛かってしまうという事態を防止できる。
【発明の効果】
【００１９】
本発明であれば、外壁パネルの上部側ではボルトとナットによる固定を可能とし、外壁パネルの下部側では引っ掛け固定とすることができる。また、上記外壁パネルの設置作業の容易化や外壁パネルが受ける風荷重の対策が図れる。
【図面の簡単な説明】
【００２０】
【図１】この発明の実施形態の外壁パネルの固定構造を示した概略図であり、同図（Ａ）は平面図であり、同図（Ｂ）は側面図であり、同図（Ｃ）は正面図である。
【図２】図１の外壁パネルの固定構造における外壁パネルの設置作業例の説明図である。
【図３】この発明の実施形態にかかる外壁パネルの固定構造の柱部での設置例を示した図であり、同図（Ａ）は平面図であり、同図（Ｂ）は正面図であり、同図（Ｃ）は側面図である。
【図４】この発明の実施形態にかかる外壁パネルの固定構造の柱部基礎上での設置例を示した図であり、同図（Ａ）は平面図であり、同図（Ｂ）は正面図であり、同図（Ｃ）は側面図である。
【図５】この発明の実施形態にかかる外壁パネルの固定構造の梁部での設置例を示した図であり、同図（Ａ）は平面図であり、同図（Ｂ）は正面図であり、同図（Ｃ）は側面図である。
【図６】この発明の実施形態にかかる外壁パネルの固定構造の基礎上での設置例を示した図であり、同図（Ａ）は平面図であり、同図（Ｂ）は正面図であり、同図（Ｃ）は側面図である。
【発明を実施するための形態】
【００２１】
以下、この発明の実施の形態を添付図面に基づいて説明する。
図１（Ａ）、図１（Ｂ）および図１（Ｃ）に示すように、外壁パネル１は、例えば、断面略コ字形状の２本の縦フレーム部１ａと、同じく断面略コ字形状の２本の横フレーム部１ｂとが接合された四角枠形の外壁パネルフレームを備えている。そして、上記外壁パネル１における上記縦フレーム部１ａと上記横フレーム部１ｂとが重なる上側の両角部分には、例えば、両切りボルトが屋内方向に突出して設けられている。
【００２２】
また、上記外壁パネル１における上記縦フレーム部１ａと上記横フレーム部１ｂとが重なる下側の両角部分には、係合凸部２が固定されている。この係合凸部２は、上記外壁パネルフレームから屋内方向に最も離れて位置する頭部２１と、当該頭部２１を支持する首部２２と、上記頭部から離間し、外壁パネルフレームに接する鍔部２３とを有しており、上記外壁パネルフレームの内側に設けられたナット２４によって上記外壁パネル１に固定されている。上記頭部２１、上記首部２２および上記鍔部２３はそれぞれ断面円形状を有しており、上記頭部２１および上記鍔部２３の直径は上記首部２２の直径よりも大きくされている。
【００２３】
また、建物の構造躯体４には、上記係合凸部２が係合される留め部材３が固定されている。上記留め部材３は、例えば、断面略Ｌ字形に形成されており、その鉛直板部の上辺側には、開口が上に向けられた切欠き部３１が形成されている。上記切欠き部３１の開口の幅は、上記首部２２の直径よりも大きくされており、上記頭部２１および上記鍔部２３の直径よりも小さくされている。また、上記切欠き部３１の下部側（閉鎖側）は半円形を有しており、その下端には例えば幅２ｍｍ程度の水平部３１ａが形成されている。上記水平部３１ａが形成されていると、外壁パネル１の取り付けで、当該外壁パネル１と上記留め部材３との間に水平方向に２ｍｍ以内のずれが生じたとしても、当該外壁パネル１の高さ方向にはずれが生じないという利点が得られる。上記水平部３１ａの幅は２ｍｍに限定されず、柱立てで要求される鉛直度の許容範囲により変更できる。
【００２４】
上記留め部材３は、金属板に対してプレスや打ち抜きの加工を行うことで作製される。上記切欠き部３１の周囲には、バーリング加工によってバーリング部（突縁部）３２が設けられている。そして、上記首部２２が上記切欠き部３１に係合された状態で上記バーリング部３２が上記頭部２１の裏面に当接される。上記留め部材３における板厚を含めた上記バーリング部３２の箇所の厚さは、上記頭部２１の裏面から上記鍔部２３の表面までの距離と同じか僅かに小さくされる。
【００２５】
このような固定構造であれば、上記係合凸部２の上記首部２２を上記切欠き部３１に係合させることで上記外壁パネル１の下部側が上記留め部材３に引っ掛けられ、上記バーリング部３２が上記頭部２１の裏側に当接されて上記留め部材３による上記外壁パネル１の下部側の固定が行われる。上記外壁パネル１の上部側の固定については、上記留め部材３に上記外壁パネル１の下部側を係止させた後、上記両切りボルトの突出部を図示しない固定金物の貫通孔に通してナットを螺合させることにより行える。
【００２６】
上記バーリング部３２の上部（上記切欠き部３１の開口側）には、上側ほど突出高さが低い傾斜部３２ａが形成されている。換言すれば、上記切欠き部３１の開口側から閉鎖側へ向かって徐々にバーリング高さが増すように上記傾斜部３２ａが形成されている。上記傾斜部３２ａの下端（終端）位置は、例えば、上記切欠き部３１に係合された上記首部２２の上面の位置と同程度とされる。
【００２７】
上記傾斜部３２ａが形成されていると、図２に示すように、建築現場で吊り上げた外壁パネル１を少しずつ降下させながら上記係合凸部２の首部２２を上記切欠き部３１に嵌める際に、当該外壁パネル１がその下部側ほど建物躯体に近い傾斜状態にされたとしても、上記バーリング部３２の上部には、上記傾斜部３２ａが形成されているので、上記頭部２１の下縁の当たりを防ぎながら上記首部２２を上記切欠き部３１に導入する作業が容易に行える。そして、上記吊り上げた外壁パネル１をさらに降下させることで、上記バーリング部３２の非傾斜部分を上記頭部２１の裏側に接触させてパネル下部側の固定状態を形成することができる。
【００２８】
図３（Ａ）は、２階側の柱接合材（柱構成部材）４１への外壁パネルの固定構造を示した概略の平面図であり、図３（Ｂ）は同正面図であり、図３（Ｃ）は側面図である。留め部材３Ａは、上記柱接合材４１の縦面に固定されている。上記留め部材３Ａは、鉛直板部の上辺部、下辺部および左右辺部の各々が屋内側に曲げられた形状を有しており、上記上辺部および下辺部が上記柱接合材４１に溶接により固定されている。そして、上記留め部材３Ａの上記鉛直板部には、上記係合凸部２の上記頭部２１が挿通できる大きさの貫通孔部３４が形成されており、上記貫通孔部３４の下部側に上記傾斜部３２ａ付きの上記バーリング部３２を有する上記切欠き部３１が形成されている。
【００２９】
上記留め部材３Ａには、上記切欠き部３１が左右に２箇所設けられている。これにより、隣り合う２枚の外壁パネル１の各々の係合凸部２を１個の留め部材３Ａで支持することができる。後述する留め部材３Ｂ、３Ｃについても同様である。
【００３０】
図４（Ａ）は、建物基礎６上の柱脚部（柱構成部材）４２への外壁パネルの固定構造を示した概略の平面図であり、図４（Ｂ）は同正面図であり、図４（Ｃ）は側面図である。この固定構造においても、上記留め部材３Ａが上記柱脚部４２の縦面に固定されている。
【００３１】
図５（Ａ）は、Ｈ型鋼からなる梁（横架材）４３側での外壁パネルの固定構造を示した概略の平面図であり、図５（Ｂ）は同正面図であり、図５（Ｃ）は側面図である。留め部材３Ｂは、鉛直板部の上辺部、下辺部および左右辺部の各々が屋内側に曲げられた形状を有しており、上記下辺部が上記梁４３のフランジ部にボルト・ナット５によって固定されている。そして、上記留め部材３Ｂの鉛直板部には、上記頭部２１が挿通できる大きさの貫通孔部３４が形成されており、上記貫通孔部３４の下部側に上記傾斜部３２ａ付きの上記バーリング部３２を有する上記切欠き部３１が形成されている。
【００３２】
上記留め部材３Ｂの上記鉛直板部には、上記切欠き部３１に係合される上記首部２２よりも下側となる箇所に、水平方向に長いリブ部（凸部）３５が形成されている。さらに、上記切欠き部３１に係合される上記首部２２よりも上側となる箇所にも、水平方向に長いリブ部（凸部）３６が形成されている。上記リブ部３５およびリブ部３６は、上記留め部材３Ｂの鉛直板部をプレス加工することにより形成することができる。上記リブ部３５およびリブ部３６により、上記鍔部２３によって生じる外壁パネルフレームと上記留め部材３Ａにおける鉛直板部との間の隙間が埋められる。
【００３３】
ここで、上記外壁パネル１に、当該外壁パネル１を屋内側に押す風荷重が加わると、上記留め部材３Ｂを上記梁４３のフランジ部から浮かす方向の力が生じ、上記フランジ部が上方向に曲げられようとする。仮に、上記リブ部３５が無いとすると、上記隙間分に相当する上記留め部材３Ｂの浮きが生じ、上記フランジ部に上方向の曲がりが発生するおそれがある。これに対し、上記リブ部３５によって上記隙間が埋められていると、上記留め部材３Ｂを上記梁４３のフランジ部から引き剥がす方向の力は発生し難くなり、上記フランジ部の曲がりを防止できる。
【００３４】
同様に、上記外壁パネル１に、当該外壁パネル１を屋外側に引く風荷重が加わると、上記留め部材３Ｂが上記梁４３のフランジ部を下に押す方向の力が生じ、上記フランジ部が下方向に曲げられようとする。仮に、上記リブ部３６が無いとすると、上記隙間分に相当する上記留め部材３Ｂによる下方への押さえが生じ、上記フランジ部の下方向の曲がりが発生するおそれがある。これに対し、上記リブ部３６によって上記隙間が埋められていると、上記留め部材３Ｂが上記梁４３のフランジ部を下に押す方向の力が発生し難くなり、上記フランジ部の曲がりを防止できる。
【００３５】
このように、上記ボルト・ナット５に対しては、極力剪断力だけが作用するようになり、上記フランジ部を厚くしたり、補強プレートを溶接するなどの高コスト化の要因を排除できるようになる。
【００３６】
また、上記留め部材３Ｂの鉛直板部の上辺部には、上記首部２２の嵌りを防止する嵌り防止片部３７が設けられている。この嵌まり防止片部３７は、上記留め部材３Ｂの鉛直板部の上辺部を略水平方向に曲げ加工することにより形成されている。上記嵌まり防止片部３７の幅（屋内側への曲げ量）は、上記首部２２の長さよりも広くされている。上記嵌まり防止片部３７が設けられていると、現場で吊り上げた外壁パネルを少しずつ降下させながら上記係合凸部２の首部２２を上記切欠き部３１に嵌めようとする際に、上記首部２２が上記留め部材３Ｂの上辺部（嵌まり防止片部３７）に引っ掛かってしまうという事態を防止できる。上記係合凸部２が上記嵌まり防止片部３７の上に載ったときには外壁パネル１を屋外側にずらすだけで上記係合凸部２の上記載った状態を解消することができる。
【００３７】
図６（Ａ）は、建物基礎６上への外壁パネルの固定構造を示した概略の平面図であり、図６（Ｂ）は同正面図であり、図６（Ｃ）は側面図である。留め部材３Ｃは、鉛直板部の下辺部および左右辺部の各々が屋内側に曲げられた形状を有しており、下辺部に形成された貫通孔に上記建物基礎６のアンカーボルト６１が挿通され、当該アンカーボルト６１に螺合されたナット６２によって固定されている。上記アンカーボルト６１の挿通位置は、上記留め部材３Ｃの水平方向中央位置よりも屋内側に寄っている。そして、上記留め部材３Ｃの上記鉛直板部の上辺部に上記傾斜部３２ａ付きの上記バーリング部３２を有する上記切欠き部３１が形成されている。
【００３８】
上記留め部材３Ｃの上記鉛直板部には、上記切欠き部３１に係合される上記首部２２よりも下側となる箇所に、水平方向に長いリブ部（凸部）３８が形成されている。上記リブ部３８は、上記留め部材３Ｃの上記鉛直板部をプレス加工することにより形成されている。上記リブ部３８により、上記鍔部２３によって生じる外壁パネルフレームと上記留め部材３Ｃの上記鉛直板部との間の隙間のうちの下側の隙間が埋められる。
【００３９】
ここで、上記外壁パネル１に、当該外壁パネル１を屋内側に押す風荷重が加わると、上記留め部材３Ｃを建物基礎６から浮かす方向の力が生じ、上記アンカーボルト６１に剪断以外の力が加わる。仮に、上記リブ部３８が無いとすると、上記隙間分に相当する上記留め部材３Ｃの浮きが生じるおそれがある。これに対し、上記リブ部３８によって上記隙間が埋められていると、上記留め部材３Ｃを上記梁４３の上記建物基礎６から浮かす方向の力の発生を防止できる。
【００４０】
なお、上記外壁パネル１に、当該外壁パネル１を屋外側に引く風荷重が加わると、上記留め部材３Ｃが上記建物基礎６を押す方向に力が生じるが、上記建物基礎６が変形することはない。したがって、上記切欠き部３１に係合される係合凸部２の上記首部２２よりも上側となる箇所に凸部を設ける必要は特にない。
【００４１】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００４２】
１      外壁パネル
２      係合凸部
２１    頭部
２２    首部
２３    鍔部
３、３Ａ、３Ｂ、３Ｃ  留め部材
３１    切欠き部
３２    バーリング部（突縁部）
３２ａ  傾斜部
３５    リブ部（凸部）
３６    リブ部（凸部）
３７    嵌り防止片部
３８    リブ部（凸部）
４      構造躯体
４１    柱接合材（柱構成部材）
４２    柱脚材（柱構成部材）
４３    梁（横架材）
６      建物基礎
【図１】
0006441049.tif 000002
【図２】
0006441049.tif 000003
【図３】
0006441049.tif 000004
【図４】
0006441049.tif 000005
【図５】
0006441049.tif 000006
【図６】
0006441049.tif 000007